(57)【要約】      （修正有）【課題】簡単な弁手段で洗浄液の供給及び停止をコントロールすることができるようにした、構造が簡単で使用性に勝れた清掃具を提供する。【解決手段】ブラシ等の清掃部材３を備えた清掃ヘッド１と、該清掃ヘッド１に着脱自在に取り付けられた柄兼用の給液ボトル２とからなり、上記清掃ヘッド１には、給液孔８を開閉する弁板１０を設け、該弁板１０には、１２０度間隔で３方向に切り込みを入れて３つのフラップ１５が形成され、上記給液ボトル２を圧縮して洗浄液を清掃部材取付面６に供給するときは、上記フラップ１５が弁板１０の前面側に押し開かれて洗浄液が流出し、上記給液ボトル２を復元させるときは、上記フラップ１５が弁板１０の後面側に押し開かれて空気が該給液ボトル２内に取り込まれ、清掃具の非使用時には、上記フラップ１５が閉位置を占めて上記給液孔８を閉鎖するように構成する。【選択図】図４
0003148860.tif 000002
【実用新案登録請求の範囲】
【請求項１】
基台に清掃部材を取り付けることにより形成された清掃ヘッドと、該清掃ヘッドに着脱自在に取り付けられた柄兼用の給液ボトルとからなり、
上記給液ボトルは、合成樹脂によって弾性的な圧縮変形及び復元が可能なるように形成され、先端に上記清掃ヘッドに取り付けるための筒口部を有し、
上記基台は、上記清掃部材が取り付けられた清掃部材取付面と、上記給液ボトルの筒口部が嵌合する筒状のボトル取付部と、該ボトル取付部を上記清掃部材取付面に開口させる給液孔と、上記ボトル取付部の内部に上記給液孔を開閉するように配設された弁板とを有し、
上記弁板は、弾性変形可能な薄板状素材により円板形に形成されていて、上記ボトル取付部の内部に上記給液孔を覆うように配設され、該弁板の中央部には、該弁板に切り込みを入れることにより開閉自在のフラップが形成され、上記給液ボトルを圧縮して該給液ボトル内の洗浄液を清掃部材取付面に供給するときは、上記フラップが洗浄液の圧力で弁板の前面側に向けて押し開かれることにより上記給液孔を開放し、洗浄液供給後に上記給液ボトルを復元させて空気を該給液ボトル内に取り込むときは、上記フラップが空気の圧力で弁板の後面側に向けて押し開かれることにより上記給液孔を開放し、上記給液ボトルを圧縮及び復元させないときは、上記フラップが弁板全体が平らになる閉位置を占めて上記給液孔を閉鎖するように構成されていることを特徴とする清掃具。
【請求項２】
上記弁板の切り込みが、該弁板の中心から１２０度間隔で３方向に等しく延びていて、これらの切り込みによって３つのフラップが形成されていることを特徴とする請求項１に記載の清掃具。
【請求項３】
上記給液孔が、上記清掃部材取付面に開口する先端側の小径孔部と、上記弁板を介してボトル取付部の中空部に連なる基端側の大径孔部とを有し、該大径孔部により、上記フラップが弁板の前面側に向けて押し開かれた際の逃げ部が形成されていることを特徴とする請求項１又は２に記載の清掃具。
【請求項４】
上記基台の清掃部材取付面と清掃部材とが、清掃ヘッドの前後方向に細長く形成され、また、上記ボトル取付部の中心軸線が、上記清掃部材取付面の長手方向の軸線に対して傾斜することにより、上記給液ボトルを清掃ヘッドに該清掃ヘッドの手前側に傾けた状態で取付可能であることを特徴とする請求項１から３の何れかに記載の清掃具。
【考案の詳細な説明】
【技術分野】
【０００１】
本考案は、柄を兼ねる給液ボトルに清掃ヘッドを取り付け、該清掃ヘッドに取り付けられた清掃部材に上記給液ボトルから洗浄液を供給しながら清掃を行う清掃具に関するものである。
【背景技術】
【０００２】
例えば特許文献１には、使用済みのペットボトルの先端に、ブラシが植設されたキャップを取り付け、上記ペットボトルからブラシに洗浄液を供給しながら清掃を行うようにした清掃ブラシが開示されている。
【０００３】
この公知の清掃ブラシは、倒れた際に上記ペットボトルからの洗浄液の漏れを防止し、清掃時には該ペットボトルから必要量の洗浄液をブラシに供給できるようにするため、上記キャップの内部に弁手段を備えているが、この弁手段が、内圧調節スプリングと、受圧駒と、この受圧駒を固定する柔らかいリング及び硬いリングとによって構成されているため、部品点数が多くて構成が複雑である。
【特許文献１】実用新案登録第３１３３４４１号公報
【考案の開示】
【考案が解決しようとする課題】
【０００４】
本考案の目的は、簡単な弁手段を備えるだけで洗浄液の供給及び停止を確実にコントロールすることができる、構造が簡単で使用性に勝れた清掃具を提供することにある。
【課題を解決するための手段】
【０００５】
上記目的を達成するため、本考案の清掃具は、基台に清掃部材を取り付けることにより形成された清掃ヘッドと、該清掃ヘッドに着脱自在に取り付けられた柄兼用の給液ボトルとからなっていて、該給液ボトルは、合成樹脂によって弾性的な圧縮変形及び復元が可能なるように形成され、先端に上記清掃ヘッドに取り付けるための筒口部を有し、上記基台は、上記清掃部材が取り付けられた清掃部材取付面と、上記給液ボトルの筒口部が嵌合する筒状のボトル取付部と、該ボトル取付部を上記清掃部材取付面に開口させる給液孔と、上記ボトル取付部の内部に上記給液孔を開閉するように配設された弁板とを有し、上記弁板は、弾性変形可能な薄板状素材により円板形に形成されていて、上記ボトル取付部の内部に上記給液孔を覆うように配設され、該弁板の中央部には、該弁板に切り込みを入れることにより開閉自在のフラップが形成され、上記給液ボトルを圧縮して該給液ボトル内の洗浄液を清掃部材取付面に供給するときは、上記フラップが洗浄液の圧力で弁板の前面側に向けて押し開かれることにより上記給液孔を開放し、洗浄液供給後に上記給液ボトルを復元させて空気を該給液ボトル内に取り込むときは、上記フラップが空気の圧力で弁板の後面側に向けて押し開かれることにより上記給液孔を開放し、上記給液ボトルを圧縮及び復元させないときは、上記フラップが弁板全体を平らにする閉位置を占めて上記給液孔を閉鎖するように構成されていることを特徴とするものである。
【０００６】
本考案において好ましくは、上記弁板の切り込みが、該弁板の中心から１２０度間隔で３方向に等しく延びていて、これらの切り込みによって３つのフラップが形成されていることである。
【０００７】
また、本考案においては、上記給液孔が、上記清掃部材取付面に開口する先端側の小径孔部と、上記弁板を介してボトル取付部の中空部に連なる基端側の大径孔部とを有し、該大径孔部により、上記フラップが弁板の前面側に向けて押し開かれた際の逃げ部が形成されていることが望ましい。
【０００８】
更に、本考案において好ましくは、上記基台の清掃部材取付面と清掃部材とが、清掃ヘッドの前後方向に細長く形成され、また、上記ボトル取付部の中心軸線が、上記清掃部材取付面の長手方向の軸線に対して傾斜することにより、上記給液ボトルを清掃ヘッドに該清掃ヘッドの手前側に傾けた状態で取付可能とされていることである。
【考案の効果】
【０００９】
本考案の清掃具は、給液孔を開閉する弁手段として、切り込みを入れた円板形の弁板を設けるだけで、清掃時に給液ボトルを圧縮したときには、この弁板が上記給液孔を開放して必要量の洗浄液が清掃部材に供給され、洗浄液の供給が終わって給液ボトルを復元させるときには、上記弁板が給液孔が開放して該給液ボトル内に必要量の空気が取り込まれ、清掃具を使用しないときは、上記弁板が給液孔を閉鎖して洗浄液の漏出が防止されるといったように、洗浄液及び空気の流れが確実にコントロールされるものであり、構造が簡単で使用性に勝れる。
【考案を実施するための最良の形態】
【００１０】
図は本考案に係る清掃具の一実施形態を示すもので、この清掃具は、図１から明らかなように、清掃部材３を有する清掃ヘッド１と、該清掃ヘッド１に着脱自在に取り付けられた柄兼用の給液ボトル２とからなっている。
【００１１】
上記給液ボトル２は、水等の洗浄液を収容する大径の本体部２ａと、該本体部２ａの先端に連なる小径の筒口部２ｂとからなっていて、これらの本体部２ａと筒口部２ｂとが合成樹脂によって一体に形成されている。
上記本体部２ａは、弾性的に圧縮変形及び復元させることが可能な部分であって、その大きさは、片手に握って上記圧縮変形及び復元操作を行いながら清掃を行うことができる程度である。
また、上記筒口部２ｂは、上記本体部２ａよりは硬質で容易には変形しないように形成され、その先端は開放しており、該筒口部２ｂの外周に取付用の雄螺子４が設けられている。
この給液ボトル２としては、清涼飲料などの容器として一般に用いられているペットボトルを好適に使用することができる。
【００１２】
上記清掃ヘッド１は、図２〜図４から明らかなように、合成樹脂製の基台５の先端に形成された清掃部材取付面６に、上記清掃部材３を取り付けたものである。この清掃部材３は、多数の合成樹脂製繊維３ａからなるブラシであって、これらの繊維３ａを上記清掃部材取付面６に植設することにより該ブラシが基台５に取り付けられている。この基台５及び清掃部材取付面６は、清掃ヘッド１の前後方向に細長く形成されており、従って、上記清掃部材３も、該清掃ヘッド１の前後方向に細長く設けられている。
上記清掃部材３は、連続気泡を有する合成樹脂発泡体即ちスポンジで形成することもできる。
【００１３】
上記基台５には、上記給液ボトル２の先端の筒口部２ｂが嵌合する筒状のボトル取付部７と、該ボトル取付部７の中空部７ａを上記清掃部材取付面６に開口させる給液孔８とが形成され、上記ボトル取付部７の内部には、上記給液孔８を開閉する弁板１０が配設されている。
上記ボトル取付部７の内周面には雌螺子１１が形成され、この雌螺子１１に上記給液ボトル２の筒口部２ｂの雄螺子４を螺合させることにより、該給液ボトル２が清掃ヘッド１に着脱自在に取り付けられている。
また、上記給液孔８は、上記清掃部材取付面６に開口する先端側の小径孔部８ａと、上記弁板１０を介してボトル取付部７の中空部７ａに連なる基端側の大径孔部８ｂとを有している。
【００１４】
図４中の符号１２は、上記ボトル取付部７の端面に設けられたシール部材で、給液ボトル２の筒口部２ｂ外周のフランジ部２ｃに当接することによって洗浄液の漏れを防止するものであるが、必ずしも必要ではない。
【００１５】
また、上記ボトル取付部７の中心軸線Ｌは、上記清掃部材取付面６の長手方向の軸線Ｌａに対して傾斜しており、これにより、柄を兼ねる上記給液ボトル２を、清掃ヘッド１に対して手前側に若干傾けた状態で取り付けることができるようになっている。この結果、この清掃具を、通常の箒を使用する場合のように、柄を傾けた状態で使用することができる。
【００１６】
上記弁板１０は、図４及び図５から分かるように、弾性変形可能な非透水性の薄板状素材、好ましくは独立気泡を持ったスポンジ板やゴム板等により円板形に形成され、該弁板１０の中央部には、該弁板１０の中心から放射方向に複数の切り込み１４を入れることにより、Ｖ字形をした開閉自在のフラップ１５が形成されている。図示した例では、上記切り込み１４が、弁板１０の中心から１２０度間隔で３方向に形成され、各切り込み１４の長さは互いに等しくされている。該切り込み１４の好ましい長さは、通常は弁板１０の半径の１／２かそれよりやや短い程度であるが、弁板１０の大きさによっても好ましい長さは異なる。また、上記弁板１０の厚さは、０．２〜０．５ｍｍ程度であるが、該弁板１０の大きさや素材等によってその好適な厚さは異なる。
【００１７】
図示した例では、３方向の切り込み１４によって１２０度の頂角を持った３つのフラップ１５が形成され、これらのフラップ１５が、弁板１０の前面側（給液孔８側）と後面側（ボトル取付部７の中空部７ａ側）との両方向に向けて弾性的に開閉できるようになっている。
【００１８】
上記弁板１０は、上記ボトル取付部７の中空部７ａと上記給液孔８の大径孔部８ｂとの径差によって形成された段部１７上に、外周縁を当接させた状態に配設され、上記中空部７ａ内に圧入したリング状の固定リング１８に外周縁を抑えられることによってその位置に固定されている。
【００１９】
上記大径孔部８ｂの孔径（直径）は、上記ボトル取付部７の中空部７ａの直径より小さく、かつ、上記弁板１０の直径よりも小さいが、該弁板１０における各切り込み１４の端部を通る仮想円１９の直径よりは大きい。これにより、該大径孔部８ｂが、上記フラップ１５が弁板１０の前面側に向けて押し開かれた際の逃げ空間を形成している。
【００２０】
上記構成を有する清掃具は、水等の洗浄液を入れた給液ボトル２を上記清掃ヘッド１に取り付けたあと、該給液ボトル２の本体部２ａを片手に持ち、該給液ボトル２から必要量の洗浄液を供給しながら、先端の清掃部材３で対象部位を清掃するものである。
【００２１】
ここで、上記給液ボトル２内の洗浄液を清掃部材取付面６に供給するときは、該給液ボトル２を圧縮して内部の洗浄液に圧力を加える。すると、図６に示すように、該洗浄液の圧力で弁板１０のフラップ１５が該弁板１０の前面側に向けて押し開かれ、それによって上記給液孔８が開放するため、洗浄液は該給液孔８を通じて清掃部材取付面６に供給される。
【００２２】
また、上記給液ボトル２の圧縮を止めると、該給液ボトル２は弾性的に復元しようとするが、そのとき、該給液ボトル２の内部が負圧になるため、図７に示すように、上記給液口孔８から吸引される空気の圧力によって上記フラップ１５が弁板１０の後面側に向けて押し開かれ、空気が該給液ボトル２内に取り込まれて該給液ボトル２は圧縮前の状態に復元する。
【００２３】
更に、上記清掃具を使用しないとき、即ち上記給液ボトル２を圧縮及び復元させないときは、図４に示すように、上記フラップ１５が閉位置を占めて弁板１０全体が平らな状態となり、これによって上記給液孔８が閉鎖されるため、上記給液ボトル２を傾けても洗浄液が外部に漏れ出すことはない。
【００２４】
かくして上記清掃具は、給液孔８を開閉する弁手段として、切り込み１４を入れた円板形の弁板１０を設けるだけで、清掃時に給液ボトル２を圧縮したときには、この弁板１０が上記給液孔８を開放して必要量の洗浄液が清掃部材に供給され、洗浄液の供給が終わって給液ボトル２を復元させるときには、上記弁板１０が給液孔８が開放して該給液ボトル２内に必要量の空気が取り込まれ、清掃具を使用しないときは、上記弁板１０が給液孔８を閉鎖して洗浄液の漏出が防止されるといったように、洗浄液及び空気の流れが確実にコントロールされるものであり、構造が簡単で使用性に勝れる。
【図面の簡単な説明】
【００２５】
【図１】本考案に係る清掃具の一実施形態を示す側面図である。
【図２】図１の要部正面図である。
【図３】図２の平面図である。
【図４】図１の要部拡大断面図である
【図５】弁板１０の平面図である。
【図６】洗浄液供給時の要部断面図である。
【図７】空気取り込み時の要部断面図である。
【符号の説明】
【００２６】
１    清掃ヘッド
２    給液ボトル
２ｂ    筒口部
３    清掃部材
５    基台
６    清掃部材取付面
７    ボトル取付部
８    給液孔
８ａ    小径孔部
８ｂ    大径孔部
１０    弁板
１４    切り込み
１５    フラップ
【図１】
0003148860.tif 000003
【図２】
0003148860.tif 000004
【図３】
0003148860.tif 000005
【図４】
0003148860.tif 000006
【図５】
0003148860.tif 000007
【図６】
0003148860.tif 000008
【図７】
0003148860.tif 000009